【事件の表示】
　平成４年特許願第１３０５００号「超音波診断装置」拒絶査定に対する審判事件［平成５年１２月３日出願公開、特開平５−３１７３１６］について、次のとおり審決する。
【結　論】
　本件審判の請求は、成り立たない。
【理　由】
１．手続の経緯・本願発明
　この出願は、平成４年５月２２日にされた特許出願であって、その請求項１に係る発明は、明細書及び図面からみて、その特許請求の範囲の請求項１に記載された次のものと認められる。
「【請求項１】
　生体内に超音波ビームを発射し、前記生体内から得られた反射エコー信号に基づき、異なる生体情報を含む複数の情報を合成表示する超音波診断装置において、
　前記複数の情報を別々に記憶する複数の記憶手段と、
　前記複数の記憶手段に記憶された情報を外部記録装置に別々に記録させるための記録手段と、
　前記外部記録装置に記録された複数の情報及び前記記憶手段に記憶された複数の情報のいずれか一方を選択する選択手段と、
　前記選択手段で選択された複数の情報を画像処理して合成する合成手段と、
　前記合成手段で合成された情報を表示する表示手段と、
を備えた超音波診断装置。」
　
２．刊行物に記載された発明
　これに対し、原査定の拒絶理由で引用された、特開昭６１−２１３０４１号公報（以下、刊行物という。）には以下の記載がある。
（ａ）
「ここで、画像メモリ２０は読書き自由なメモリ（例えば、ＲＡＭ・・・）によって構成され、反射強度画像メモリ２０ａ、平均速度画像メモリ２０ｂ、速度分散画像メモリ２０ｃによりなっている。」（第４頁左下欄第１１行〜第１５行）
（ｂ）
「次に、前記４つの血流パータン演算結果、すなわち、瞬時血流速度分布、瞬時平均流速、瞬時順逆血流平均速度、時間平均流速の結果、ＢモードあるいはＭモードのドップラ血流像及び通常のＵＳ像を表示装置２４上に表示する手段について述べる。
　第１図において、表示切換回路２３は、表示制御回路５３により制御され、４種類の血流パータン演算結果、ドップラ血流像、ＵＳ像のうち、少なくとも１個を選択し、これらの信号を表示用メモリ２１に転送するためのものである。
　前記４つの血流パタン演算結果のうち、１つ又は複数の血流パターン演算結果を表示用メモリ２１に記憶させるために、アドレス切換回路９８を血流パターン書込みアドレス発生回路９５側にして、血流パターン書込みアドレス発生回路９５により作成されたアドレスで表示用メモリ２１に記憶される。
　また、ドップラ血流像信号読出しアドレス発生回路７８及びドップラ血流像信号書込みアドレス発生回路９６により、画像メモリ２０に記憶されていたドップラ血流像信号は、ドップラ血流像構成回路９３を介し表示用メモリ２１に転送される。
　さらに、アドレス発生回路２１´及びＵＳ像書込みアドレス発生回路９９により、画像メモリ回路２０´に記憶されていたＵＳ像信号は、表示用メモリ２１に転送される。
　表示用メモリ２１に記憶されたデータは、表示読出しアドレス発生回路９７、アドレス切換回路９８を介して読出され、デジタル・アナログコンバータ（以下、Ｄ／Ａコンバータという）２２により輝度変調信号に変換され、ＴＶ同期回路１００の同期信号に同期して、表示装置２４上に第９図又は第１０図に示すような画像が表示される。
　これにより、血流パターンサンプル位置を、第１１図又は第１２図に示すＭ１、Ｍ２のように、複数点とすることも可能である。
　また、画像メモリ２０を設けることにより、第１３図に示すように、血流パターンサンプル位置を１箇所としながらも、複数の血流パターンを表示することが可能である。
　さらに、第１４図に示すように、Ｍモードのドップラ血流像、ＭモードのＵＳ像、それらの画像を重ね合わせた画像を固定状態にし、血流パターンの測定位置を任意の直線又は曲線に指定することにより、任意の測定点の血流パターン演算結果を得ることもできる。」
以上６頁右上欄２０行〜７頁左上欄６行
（ｃ）
「また、ドップラ血流像及び通常の超音波像をＶＴＲ等に記録するため、ドップラ血流像構成回路９３の出力及び画像メモリ２０´の出力を、ＶＴＲエンコーダ２００を介し、ＶＴＲ２０１に入力して記録される。
　一方、ＶＴＲ２０１の出力は、ＶＴＲデコーダ２０２を介し、反射強度信号、平均速度信号、速度分散信号、及び通常の超音波像に分解し、それぞれ反射強度画像メモリ２０ａ、平均速度画像メモリ２０ｂ、速度分散画像メモリ２０ｃ及び表示切換回路２３に入力させることにより、前述の第９図乃至第１４図で示した血流パータン演算結果表示を行うようになっている。」
以上７頁左上欄２０行〜右上欄１２行
（ｄ）
　「例えば、前記実施例のエンコーダ１９をカラーエンコーダにすることにより、反射強度、平均速度、速度分散の演算結果に応じた大きさの信号で赤色（Ｒ）、緑色（Ｂ）、青色（Ｂ）の三原色に分解し、表示装置２４のブラウン管としてカラーブラウン管を用いて速度を色彩表示するようにしてもよい。」
以上７頁右下欄１６行〜８頁左上欄２行
　
３．対比・判断
　そこで、本願請求項１に係る発明（以下、本願発明という。）と刊行物に記載された発明とを対比検討する。
　
　刊行物に記載された発明の「画像メモリ２０」及び「画像メモリ２０’」は、複数の情報を別々に記憶するものなので、本願発明の「複数の記憶手段」に相当する。
　そして、複数の情報を「ＶＴＲエンコーダ２００」を介して「ＶＴＲ２０１」に記憶するとともに、再生時には「ＶＴＲデコーダ２０２」を介して複数の情報に分離していることから、「複数の情報を別々に記憶」しているので、刊行物に記載された発明は、本願発明の「外部記録装置に別々に記録させるための記録手段」を有し、また、それぞれ異なる情報から作成した複数の画像を重ね合わせて表示しているので、本願発明の「合成手段」および「表示手段」を有していると認められる。
　したがって、本願発明と刊行物に記載された発明は、
「生体内に超音波ビームを発射し、前記生体内から得られた反射エコー信号に基づき、異なる生体情報を含む複数の情報を合成表示する超音波診断装置において、
　前記複数の情報を別々に記憶する複数の記憶手段と、
　前記複数の記憶手段に記憶された情報を外部記録装置に別々に記録させるための記録手段と、
　前記外部記録装置に記録された複数の情報や前記記憶手段に記憶された複数の情報を画像処理して合成する合成手段と、
　前記合成手段で合成された情報を表示する表示手段と、
を備えた超音波診断装置」である点で一致し、
外部記録装置に記録された複数の情報及び記憶手段に記憶された複数の情報のいずれか一方を選択する選択手段を、本願発明は有しているのに対し、刊行物に記載された発明は、いずれか一方を選択する選択手段を有しているかどうか明確でない点で相違する
　
　刊行物に記載された発明においても、上記（ｂ）に記載されているように、画像メモリに記憶された情報から作成した画像を表示したり、上記（ｃ）に記載されているように、一旦ＶＴＲに記録された情報を画像メモリに送り作成した画像を表示しているので、表示する画像に応じて情報が記憶されている媒体を選択していることになる。この場合、画像メモリに記憶されていた以前のデータを保持しておかないと、そのデータが失われてしまうので、いずれか一方の記憶媒体に記憶された情報を選択するように変更することは当業者が適宜なし得ることである。
　
４．むすび
　以上のことから、本願発明は、刊行物に記載された発明に基づいて当業者が容易に発明をすることができたものと認められ、特許法第２９条第２項の規定により特許を受けることができない。
　よって、結論のとおり審決する。